(57)【要約】【課題】サーバーを中心とする機器連携ネットワークにおいて機器毎にＲＡＷ画像の共有に違いがある場合、適切に機器を選択し現像パラメーターを共有しつつ機器連携ネットワークの目的であるデータ共有を両立するサーバー機能を課題とする。【解決手段】  ＲＡＷ画像や現像パラメーターの記録手段、通信手段と、外部機器でＲＡＷ画像が保持されているかを追跡管理する管理手段と、現像パラメーターに基づきＲＡＷ画像を操作し、新たに更新画像を生成する画像操作手段と、外部機器から現像パラメーターを受信した場合に、管理手段からＲＡＷ画像を保持している外部機器を割り出し、該外部機器に対しては現像パラメーターを送信し、管理手段からＲＡＷ画像を保持していない外部機器を割り出し、該外部機器に対しては現像パラメーターとＲＡＷ画像を元に画像操作手段で生成した更新画像を送信するサーバー装置。【選択図】  図１
2019070881.tif 000002
【特許請求の範囲】
【請求項１】
オリジナル画像や該オリジナル画像に対する操作情報を記録する記録手段と、
複数の外部機器と前記オリジナル画像や操作情報を含むデジタルデータの送受信が可能な通信手段と、
外部機器において前記通信手段で送信したオリジナル画像が保持されているかを追跡管理するオリジナル画像保持状態管理手段と、
操作情報に基づきオリジナル画像を操作し、新たに更新画像を生成するオリジナル画像操作手段と、
前記通信手段を介して外部機器から特定のオリジナル画像に関する操作情報を受信した場合に、前記オリジナル画像保持状態管理手段から該オリジナル画像を保持している外部機器を割り出し、該外部機器に対して前記オリジナル画像に対する操作情報を送信する操作情報送信手段と、
前記オリジナル画像保持状態管理手段から該オリジナル画像を保持していない外部機器を割り出し、該外部機器に対しては前記操作情報と関連するオリジナル画像をもとに前記オリジナル画像操作手段により生成される更新画像を送信する更新画像送信手段と、
を有することを特徴とするサーバー装置。
【請求項２】
請求項１に記載のサーバー装置であって、
オリジナル画像の共有を外部機器毎に有効・無効が設定できるオリジナル画像共有選択手段、
を有する場合に、
前記オリジナル画像保持状態管理手段で外部機器毎に管理される各オリジナル画像の保持状態とは、前記オリジナル画像共有選択手段に従ったオリジナル画像の送信履歴により生成されることを特徴とするサーバー装置。
【請求項３】
請求項２に記載のサーバー装置であって、
外部機器が前記オリジナル画像操作手段に前記通信手段でアクセスできるアドレス情報を、前記通信手段で送信する遠隔画像操作アドレス送信手段
を有する場合に、
前記オリジナル画像共有選択手段で無効と設定されている機器に対しては、前記遠隔画像操作アドレス送信手段で前記オリジナル画像操作手段にアクセスするための情報を送信することを特徴とするサーバー装置。
【請求項４】
請求項１に記載のサーバー装置であって、
前記通信手段により外部機器に対してオリジナル画像を送信した際に、送信情報を内部で保持するオリジナル画像送信情報保持手段と、
前記通信手段で送信したオリジナル画像が外部機器で削除された際に、削除情報を前記通信手段で取得し、保持するオリジナル画像削除情報保持手段と、
を有する場合に、
前記オリジナル画像保持状態管理手段で外部機器毎に管理される各オリジナル画像の保持状態とは、前記オリジナル画像送信情報保持手段とオリジナル画像削除情報保持手段より更新されるオリジナル画像の送信・削除履歴であることを特徴とするサーバー装置。
【請求項５】
請求項４に記載のサーバー装置であって、
外部機器が前記オリジナル画像操作手段に前記通信手段でアクセスできるアドレス情報を、前記通信手段で送信する遠隔画像操作アドレス送信手段
を有する場合に、
前記オリジナル画像削除情報保持手段により認識できるオリジナル画像を削除した機器にたいして、前記遠隔画像操作アドレス送信手段で前記オリジナル画像操作手段にアクセスするための情報を送信することを特徴とするサーバー装置。
【請求項６】
請求項３乃至請求項５のいずれか１項に記載のサーバー装置であって、
前記遠隔画像操作アドレス送信手段でアドレス情報を送信した外部機器からの遠隔操作により、前記記録手段に保持されているオリジナル画像に対して新規に操作情報が生成された場合に、
前記オリジナル画像保持状態管理手段から該オリジナル画像を保持している外部機器を割り出し、該外部機器に対して前記オリジナル画像に対する操作情報を送信する操作情報送信手段と、
前記オリジナル画像保持状態管理手段から該オリジナル画像を保持していない外部機器を割り出し、該外部機器に対しては前記操作情報と関連するオリジナル画像をもとに前記オリジナル画像操作手段により生成される更新画像を送信する更新画像送信手段と、
を有することを特徴とするサーバー装置。
【発明の詳細な説明】
【技術分野】
【０００１】
本発明はサーバー装置に関し、特に複数の外部機器との連携の中で、ＲＡＷ画像と現像パラメーターの共有を行うサーバー装置に関する。
【背景技術】
【０００２】
サーバーを中心とする機器連携ネットワークを構築し、サーバーを含めたすべての参加機器で画像データを共有するサービスが存在する。機器連携ネットワークの構築として、サーバーがユーザーに対してアカウント機能を提供し、ユーザーが所有している電子機器を自身のアカウントに登録する方法が考えられる。さらに機器に画像データが生成された際に自動的にサーバー経由で機器連携ネットワークに参加する機器に配信されることで、ユーザーは特別な意識をしなくても所有する機器間で画像データを共有できる。
【０００３】
例えば、デジタルカメラとＰＣ（Ｐｅｒｓｏｎａｌ  Ｃｏｍｐｕｔｅｒ）が参加する機器連携ネットワークの場合、デジタルカメラで撮影した画像データが自動的にサーバー経由でＰＣと共有される。これによりユーザーは特別意識しなくても撮影した画像をＰＣでも楽しむことができる。
【０００４】
デジタル一眼レフカメラを代表とする一部のデジタルカメラでは非圧縮のＲＡＷ画像をユーザーに提供する機能がある。一般的なＪＰＥＧ等の圧縮画像と比較してＲＡＷ画像は撮影時の生データが記録されているため情報量が豊富だが画像サイズが大きいということがある。もしそうしたデジタルカメラが機器連携ネットワークに参加すれば、サーバーを介したＲＡＷ画像の機器間共有を実現できる。
【０００５】
一方、ＲＡＷ画像の代表的な活用方法として、専用のアプリケーションでの現像処理がある。ＲＡＷ画像に対する現像処理とは、ユーザーがアプリケーションを操作して画像パラメーターの調整を行って画像を好みの仕上がりにし、その上でＲＡＷ画像からＪＰＥＧ等の圧縮画像を出力する処理である。最終的な現像処理でＪＰＥＧデータを生成と並行して、ユーザーが調整した画像調整パラメーターや符号化方式の情報を現像パラメーターとしてまとめ、ＲＡＷ画像の付属情報として記録する。現像パラメーターを残しておくことで、専用のアプリケーションを使ってオリジナルのＲＡＷ画像からいつでも好みの画像処理結果を再現できる。
【０００６】
また現像時に生成される現像パラメーターを、ネットワークを介して活用する提案がなされている(特許文献１)。過去に現像したことがある外部機器に対して、ＲＡＷと現像パラメーターを送信して現像処理を行わせることで、ＲＡＷ画像の現像パラメーターを一元管理しつつ適切な現像結果を得るための技術が開示されている。
【先行技術文献】
【特許文献】
【０００７】
【特許文献１】特開２０１０−２０６７１８号公報
【発明の概要】
【発明が解決しようとする課題】
【０００８】
背景技術で述べた通り、ＲＡＷ画像と関連する現像パラメーターがあればいつでも同じ現像結果を再現できる。つまり機器連携ネットワーク上で一度共有したＲＡＷ画像であれば、現像処理により新規に生成された現像パラメーターを共有することで、いつでも・どの機器でも同じ現像結果を再現できる。
【０００９】
しかしながら機器連携ネットワークにおけるＲＡＷ画像の共有では、ＲＡＷ画像のデータサイズが懸念になると思われる。つまり機器によってはデータサイズが大きいＲＡＷ画像の共有しないことが期待される。そうした機器毎にＲＡＷ画像の共有に違いがある場合、任意のタイミングで生成される現像パラメーターを適切な機器と共有することが求められる。その一方で、機器連携ネットワークの意義である全ての機器と画像データを共有したいという側面もある。
【００１０】
サーバーを中心とする機器連携ネットワークでＲＡＷ画像を共有する上で、上記相反する要求に対応できるサーバー機能が問題となる。
【００１１】
本発明は掛る問題の解決を目的とし、機器連携ネットワークでのＲＡＷ画像の共有において、機器毎にＲＡＷ画像の共有に違いがある状況で現像パラメーターの共有を適切に実行しながらも、データ共有という機器連携ネットワークの意義を維持するサーバー機能の提案を課題とする。
【課題を解決するための手段】
【００１２】
本課題を解決するために、本発明のサーバー装置は、
オリジナル画像や該オリジナル画像に対する操作情報を記録する記録手段と、
複数の外部機器と前記オリジナル画像や操作情報を含むデジタルデータの送受信が可能な通信手段と、
外部機器において前記通信手段で送信したオリジナル画像が保持されているかを追跡管理するオリジナル画像保持状態管理手段と、
操作情報に基づきオリジナル画像を操作し、新たに更新画像を生成するオリジナル画像操作手段と、
前記通信手段を介して外部機器から特定のオリジナル画像に関する操作情報を受信した場合に、前記オリジナル画像保持状態管理手段から該オリジナル画像を保持している外部機器を割り出し、該外部機器に対して前記オリジナル画像に対する操作情報を送信する操作情報送信手段と、
前記オリジナル画像保持状態管理手段から該オリジナル画像を保持していない外部機器を割り出し、該外部機器に対しては前記操作情報と関連するオリジナル画像をもとに前記オリジナル画像操作手段により生成される更新画像を送信する更新画像送信手段と、
を有することを特徴とする。
【発明の効果】
【００１３】
本発明を適用したサーバーを中心とする機器連携ネットワークにより、ユーザーは機器毎にＲＡＷ画像の共有を選択することができる。その上で、機器毎に適切なＲＡＷ画像、現像パラメーター、ＪＰＥＧ画像が共有される。このためデータサイズが大きくなるＲＡＷ画像を共有できない機器ではＲＡＷ画像の共有を行わないといった選択ができる。その上でそれら機器に対しては符号化した画像を送信する。これにより機器に依存せず画像データを共有するといった機器連携ネットワークの目的も確保できる。
【００１４】
ユーザーにとっては、データサイズが巨大なＲＡＷ画像を受け付けられない機器に対して余計な負荷を掛けることなく、ＲＡＷ画像をネットワーク経由で活用することができる。つまり撮影したＲＡＷ画像の活用の幅を広げられるという効果が期待できる。
【図面の簡単な説明】
【００１５】
【図１】実施例１から実施例３におけるサーバー装置のブロック図
【図２】実施例１から実施例３における機器連携ネットワークのシステム図
【図３】実施例１から実施例３における機器を新規登録するシーケンス図
【図４】実施例１から実施例３における新規ＲＡＷ画像を共有するシーケンス図
【図５】実施例１と実施例３における新規現像パラメーターを共有するシーケンス図
【図６】実施例１から実施例３における現像パラメーター
【図７】実施例１から実施例３における新規登録ページ
【図８】実施例１と実施例３における現像アプリケーション
【図９】実施例２におけるサーバー現像を実行するシーケンス図
【図１０】実施例２におけるサーバー現像ページ
【図１１】実施例３におけるＲＡＷ画像共有状態の変化を示すシーケンス図
【図１２】実施例３におけるＲＡＷ画像管理テーブル
【発明を実施するための形態】
【００１６】
［実施例１］
図１は本発明を適用したサーバー装置の構成を示すブロック図である。１０１はコントローラーである。メモリー１０５に展開されるプログラムを実行する。プログラムを実行することで、各ブロックに対する制御、各ブロック間でのデータの移動などサーバー装置１００として様々な処理が可能となる。１０２はＲＡＷ画像・現像パラメーター記録部である。不揮発性のメモリー領域であり、外部機器から受け取ったＲＡＷ画像データや現像パラメーターを記録しておく。現像パラメーターとしては図６のようなデータを想定する。
【００１７】
画像調整パラメーターと符号化パラメーターをセットにしたデータとなっている。画像調整パラメーターとしては「明るさ」・「ホワイトバランス」・「ピクチャースタイル」・「コントラスト」・「ハイライト」・「シャドウ」・「色あい」・「シャープネス」の情報を持ち、符号化パラメーターとしては「符号化方式」の情報を持つ。この現像パラメーターを用いれば同じ現像結果を再現できる。１０３は登録ユーザー・情報管理部である。不揮発性のメモリー領域であり、ユーザーのアカウント情報の他、各ユーザーの機器連携ネットワークを構成する機器情報をユーザーアカウントに紐付ける形で記録しておく。
【００１８】
１０４は通信部である。所定の通信規格に従い外部機器と通信ができる。例えば、ＲＡＷ画像・現像パラメーター記録部１０２に記録されているデータや、登録機器情報管理部１０３に記録されているデータを外部機器との間で送受信できる。１０５はメモリーである。揮発性のメモリー領域である。サーバー装置３００の各ブロックの設定情報、サーバー３００で実行される各種プログラム、ＲＡＷ画像・現像パラメーター記録部１０２に記録されているデータ、機器情報管理部１０３に記録されているデータを展開して一時保存できる。
【００１９】
１０６は画像処理部である。ＲＡＷ画像・現像パラメーター記録部１０２に記録される現像パラメーターに従いＲＡＷ画像データに対する画像処理を施す。１０７は符号化部である。画像処理部１０６で生成した画像処理後の画像データに対して所望の符号化方式に従った符号化を行う。符号化方式としてはＪＰＥＧなどが一般的に知られている。
【００２０】
図２は本発明を適用したサーバー装置１００を中心に構成される機器連携ネットワークのシステム図である。ＰＣ２０１、デジタルカメラ２０２、スマートフォン２０３、タブレット２０４はユーザーの所有物であり、広域通信網２０５を経由してサーバー装置１００と通信する。また各機器の広域通信網２０５への接続形式は何でもよい。機器は有線・無線の各通信方式に従い接続する。
【００２１】
機器連携ネットワークに参加する機器の間でのデータ共有は、サーバー装置１００を経由して行われる。この時サーバー装置１００も同様のデータを保持することで機器連携ネットワークに参加する全ての参加機器で同じデータを共有する。以下シーケンス図を用いてデータ共有の流れを説明していく。
【００２２】
図３は本発明を適用したサーバー装置１００を中心に構成される機器連携ネットワークにおいて、機器を機器連携ネットワークに新規に参加させ、且つＲＡＷ画像の共有に関する有効・無効も併せて設定するシーケンス図である。本シーケンス図はデジタルカメラ２０２を機器連携ネットワークに参加させる例である。ユーザーはデジタルカメラ２０２を操作する。
【００２３】
Ｓ３０１からＳ３０５は、デジタルカメラ２０２がユーザーアカウントでサーバー装置１００にログインする処理である。ユーザーのアカウント名とパスワードの組み合わせによる認証処理が一般的である。Ｓ３０１において機器を操作して入力してもらったアカウント名とパスワードの情報をサーバー装置１００に送信する。Ｓ３０２でサーバー装置１００は該アカウント名とパスワードの情報を通信部１０４で受信する。Ｓ３０３でサーバー装置１００は、登録ユーザー・機器情報管理部１０３に受信したアカウント名とパスワードの組み合わせが存在するかを確認する。
【００２４】
該情報を確認した時点でサーバー装置１００は、Ｓ３０４で認証成功メッセージを送信する。コントローラー１０１の指示に従い通信部１０４からネットワークに向けて送信される。Ｓ３０５でデジタルカメラ２０２は、認証成功メッセージを受信することで、ログインの完了を確認し、次の処理に移行する。このＳ３０１からＳ３０５の認証処理は機器に依存しない処理である。
【００２５】
次にＳ３０６からＳ３１０までは、デジタルカメラ２０２を機器連携ネットワークに登録するためのＷｅｂページを取得する処理である。Ｓ３０６でデジタルカメラ２０２は、新規登録ページへの取得要求を送信する。送信はＨＴＴＰプロトコルに従い、クライアントがデータを取得するＧＥＴメッセージにより実行される。ＧＥＴ先のアドレスは、デジタルカメラ２０２のアプリケーションが保持しておくことで決められたアドレスに対してＧＥＴできる。Ｓ３０７でサーバー装置１００は、通信部１０４から新規登録ページ取得要求を受信する。Ｓ３０８でサーバー装置１００は、新規登録ページの準備を行う。
【００２６】
本実施例で新規登録ページは図７の画面を想定する。７０１はアカウント情報としての「ユーザー名」である。ユーザー名は登録ユーザー・機器情報管理部１０３に記録されており、Ｓ３０３で認証したユーザー情報をもとにコントローラー１０１が取得する。７０２は登録機器情報である。「モデル名」・「シリアル番号」といった機器情報と、「ＲＡＷ画像共有設定」を表示する。設定値は「有効／無効」が選択できる。本ページを受信する機器を機器連携ネットワークに登録する上で、ＲＡＷ画像を共有するか否かを指示する情報である。「モデル名」・「シリアル番号」は機器側で設定される情報である。
【００２７】
７０３は、既に機器連携ネットワークに参加している機器である「登録済みの機器情報」を表示する。各機器の「モデル名」・「シリアル番号」・「ＲＡＷ画像共有設定」の情報が表示される。登録済み機器情報７０３は、登録ユーザー・機器情報管理部１０３に記録されている情報をコントローラー１０１が読み出して用意する。Ｓ３０９でサーバー装置１００はＳ３０８で準備した新規登録ページを送信する。送信はＨＴＴＰプロトコルに従い、Ｓ３０７で受信した取得要求に対するＯＫメッセージに付与する。
【００２８】
このとき次にデジタルカメラ２０４が新規登録情報をＰＯＳＴする先として新規登録情報ＰＯＳＴアドレスも併せて送信する。コントローラー１０１の指示に従い通信部１０４からネットワークに向けて送信される。Ｓ３１０でデジタルカメラ２０２は、新規登録ページと新規登録情報ＰＯＳＴアドレスを受信する。
【００２９】
Ｓ３１１からＳ３１７では、ユーザーがデジタルカメラ２０２を機器連携ネットワークに登録する処理である。Ｓ３１１でデジタルカメラ２０２は、Ｓ３１０で受信した新規登録ページを液晶画面に表示する。この時７０２の「モデル名」・「シリアル番号」を機器情報として取得し表示することで図７の画面が完成する。Ｓ３１２でデジタルカメラ２０２は、Ｓ３１０で表示した新規登録ページに対するユーザー操作を受け付ける。ここでユーザーが「ＲＡＷ画像共有設定」の有効・無効を選択できる。本実施例では、デジタルカメラ２０２を「有効」として設定することにする。
【００３０】
Ｓ３１３でデジタルカメラ２０２は新規登録情報を送信する。ユーザーが「送信」ボタンを押したことをきっかけとして新規登録ページで設定した「モデル名」・「シリアル番号」・「ＲＡＷ画像共有設定」を新規登録情報として送信する。送信はＨＴＴＰプロトコルに従い、クライアントがデータを送信するＰＯＳＴメッセージにより実行される。ＰＯＳＴ先はＳ３１０で受信した新規登録情報ＰＯＳＴアドレスを使用する。Ｓ３１４でサーバー装置１００は、新規登録情報を受信する。Ｓ３１５でサーバー装置１００は、受信した新規登録情報を反映する。コントローラー１０１が通信部１０４から受信したデータを登録ユーザー・機器情報管理部１０３に書き込む。
【００３１】
本ケースの場合、７０３の登録済み機器情報７０３にデジタルカメラ２０２が「ＲＡＷ画像共有設定」を「有効」として追加される。３１６でサーバー装置１００は新規登録情報受信完了メッセージを送信する。該メッセージは、Ｓ３１４で受信したＰＯＳＴメッセージに対するＯＫメッセージとして送信される。このとき今後デジタルカメラ２０２が機器連携ネットワーク上でデータ送受信を行う場合、サーバー装置１００に対するデータの送信先・取得先の情報としてデータＰＯＳＴアドレスと新規コンテンツＧＥＴアドレスをＯＫメッセージに付与して送信する。Ｓ３１７でデジタルカメラ２０２は、サーバー装置１００から新規登録情報受信完了メッセージを受信することで新規登録の完了を確認する。また併せてデータＰＯＳＴアドレスと新規コンテンツＧＥＴアドレスを取得する。
【００３２】
以上のシーケンスが、デジタルカメラ２０２を図２の機器連携ネットワークに参加させるシーケンスである。他の機器も同じシーケンスで機器連携ネットワークに参加する。
【００３３】
図４ではデジタルカメラ２０２で生成されたＲＡＷ画像を、図２の機器連携ネットワークで共有するシーケンスである。本シーケンスで、ユーザーはデジタルカメラ２０２を操作している。本シーケンスではサーバー装置１００と各機器間のやり取りを説明するが、すべての機器はＳ３０１からＳ３０５の認証シーケンスを行うものとし、本シーケンスでは記載を省略する。
【００３４】
Ｓ４０１からＳ４０８まではユーザーがデジタルカメラ２０２を操作して、撮影したＲＡＷ画像をサーバー装置１００に送信するシーケンスである。Ｓ４０１でデジタルカメラ２０２は、ユーザーから指示に従い撮影処理を実行しＲＡＷ画像を生成する。ＲＡＷ画像が生成されたタイミングで共有処理を開始する。Ｓ４０２でデジタルカメラ２０２は、Ｓ４０１で指定されたＲＡＷ画像の準備を行う。Ｓ４０３でデジタルカメラ２０２はＳ４０１で指定されたＲＡＷ画像に関連する現像パラメーターを準備する。
【００３５】
一般的にデジタルカメラ２０２でＲＡＷ画像を撮影した場合、撮影したＲＡＷ画像に加えカメラが最適とする画像パラメーターの調整を行い、ＪＰＥＧなどに符号化した画像ファイルとして記録する。本実施例では画像調整パラメーターと符号化方式の情報を図６に示す現像パラメーターとして生成し、ＲＡＷ画像の関連データとして記録することを想定する。Ｓ４０３で該現像パラメーターを準備する。Ｓ４０４でデジタルカメラ２０２はＳ４０２とＳ４０３で準備したＲＡＷ画像ファイルと現像パラメーターをサーバー装置１００に送信する。
【００３６】
送信はＨＴＴＰプロトコルに従い、クライアントがデータを送信するＰＯＳＴメッセージにより実行される。ＰＯＳＴ先のアドレスはＳ３１７で取得したデータＰＯＳＴアドレスを使用する。Ｓ４０５でサーバー装置１００は、機器連携ネットワークに参加するデジタルカメラ２０２からＲＡＷ画像と現像パラメーターを受信する。サーバー装置１００は、アカウント情報をもとに機器連携ネットワークを特定する。Ｓ４０６でサーバー装置１００は、ＲＡＷ画像と現像パラメーターの受信が完了したことを示す応答メッセージを送信する。
【００３７】
該メッセージはＨＴＴＰプロトコルに従い、Ｓ４０５で受信したＰＯＳＴメッセージに対するＯＫメッセージとして送信される。Ｓ４０７でデジタルカメラ２０２は、応答メッセージを受信してサーバー装置１００がＲＡＷ画像と現像パラメーターを受信したことを確認する。Ｓ４０８でサーバー装置１００は、ユーザーアカウントの登録済み機器情報７０３を参照し、機器連携ネットワークに参加している機器を割り出す。コントローラー１０１が登録ユーザー・機器情報管理部１０３から情報を読み出す。
【００３８】
本実施例では、ＰＣ２０１とタブレット２０４がＲＡＷ画像共有設定を「有効」として登録されている。ここまでで、サーバー装置１００とデジタルカメラ２０２と間でＲＡＷデータと現像パラメーターのやり取りが完了する。
【００３９】
Ｓ４０９からＳ４１３はとサーバー装置１００とＰＣ２０１間の処理シーケンスである。Ｓ４０９でＰＣ２０１はサーバー装置１００に対して新規共有データの取得要求を送信する。送信はＨＴＴＰプロトコルに従い、クライアントがデータを取得するＧＥＴメッセージにより実行される。ＧＥＴする先は、ＰＣ２０１が機器連携ネットワークに参加する際に取得した新規コンテンツＧＥＴアドレスを使用する。このＧＥＴ要求を周期的に実行して新規データを確認する。Ｓ４１０でサーバー装置１００は、新規共有データの取得要求を受信する。
【００４０】
Ｓ４１１でサーバー装置１００は、Ｓ４０５で新規のＲＡＷ画像を受信しているため、新規共有データが存在する。且つ登録済み機器情報７０３でＰＣ２０１は「ＲＡＷ画像共有設定」が「有効」である。よってＰＣ２０１に対してＲＡＷ画像と現像パラメーターを送信する。送信はＨＴＴＰプロトコルに従い、Ｓ４１１で受信した新規共有データの取得要求に対するＯＫメッセージに付与する。Ｓ４１２でＰＣ２０１はレスポンスメッセージとともにＲＡＷ画像と現像パラメーターを受信する。Ｓ４１３でＰＣ２０１は受信したＲＡＷ画像と現像パラメーターを記録する。
【００４１】
ここまでで、サーバー装置１００とＰＣ２０１の間でＲＡＷデータと現像パラメーターのやり取りが完了する。
【００４２】
ＲＡＷ画像と現像パラメーターを取得することで、デジタルカメラ２０２上で行われた現像処理をＰＣ２０１上でも再現できる。
【００４３】
Ｓ４１４らＳ４１８はとサーバー装置１００とタブレット２０４間の処理シーケンスである。７０３でタブレット２０４も「ＲＡＷ画像共有設定」が「有効」であることからサーバー装置１００はＲＡＷ画像と現像パラメーターを送信する。シーケンスはＳ４０９からＳ４１３と同じである。
【００４４】
Ｓ４１９からＳ４２４はサーバー装置１００とスマートフォン２０３間の処理シーケンスである。Ｓ４１９とＳ４２０は、Ｓ４０９とＳ４１０の処理と同じである。しかし登録済み機器情報７０３上で、スマートフォン２０３は「ＲＡＷ画像共有設定」が「無効」であることから、ＲＡＷ画像を共有する対象にはならない。Ｓ４２１でサーバー装置１００は、Ｓ４０５で受信したＲＡＷ画像と現像パラメーターをもとにＪＰＥＧ画像の生成を行う。コントローラー１０１が画像処理部１０６と符合化部１０７を制御することで画像処理とＪＰＥＧデータへの符合化を行う。
【００４５】
Ｓ４２２でサーバー装置１００は、Ｓ４２１で生成したＪＰＥＧ画像を送信する。送信はＨＴＴＰプロトコルに従い、Ｓ４１１で受信した新規共有データの取得要求に対するＯＫメッセージに付与する。Ｓ４２３でスマートフォン２０３はレスポンスメッセージとともにＪＰＥＧ画像を受信する。Ｓ４２４でスマートフォン２０３は受信したＪＰＥＧ画像を記録する。ここまでで、サーバー装置１００とスマートフォン２０３の間でＪＰＥＧ画像のやり取りが完了する。「ＲＡＷ画像共有設定」が「無効」のスマートフォン２０３には符号化したＪＰＥＧが送信されることで、デジタルカメラ２０２で実行した画像調整と同じ仕上がりのＪＰＥＧ画像を共有できる。
【００４６】
図５は、ＰＣ２０３で生成される現像パラメーターを、図２の機器連携ネットワーク内で共有する際のシーケンス図である。
【００４７】
本シーケンス図においてユーザーはＰＣ２０３を操作している。本実施例ではユーザーが図８のような現像アプリケーションをＰＣ２０３上で利用することを想定する。８０１は画像パラメーターの調整結果のプレビュー画面である。調整した画像が自分の好みに合っているかを実際に確かめながら調整できる。８０２はパラメーター調整画面である。スライダーバーやアイコン選択により、現像パラメーターにある「明るさ」・「ホワイトバランス」・「ピクチャースタイル」・「コントラスト」・「ハイライト」・「シャドウ」・「色あい」・「シャープネス」を調整できる。
【００４８】
「符号化方式」で最終的なデータ記録形式も選択できる。各パラメーターの組み合わせにより、ユーザーの好みに応じた画像に仕上げることが可能である。また、図６の現像パラメーターを生成することもできる。
【００４９】
本シーケンスではサーバー装置１００と各機器間のやり取りを説明する。本シーケンスではサーバー装置１００と各機器間のやり取りを説明するが、すべての機器はＳ３０１からＳ３０５の認証シーケンスを行うものとし、本シーケンスでは記載を省略する。
【００５０】
Ｓ５０１はユーザーによる現像アプリケーション８００での操作をＰＣ２０３で処理する。ユーザーがＲＡＷ画像を元データとして各種画像パラメーターの調整を行うことで、ＲＡＷ画像から自分好みの画像に仕上げる。Ｓ５０２は、Ｓ５０１のパラメーター調整後、ユーザーによる所定の符合化方式に従い画像データとして保存する指示をＰＣ２０３が受け付ける。本実施例ではＪＰＥＧによる符合化データとしての保存を想定する。Ｓ５０３でＰＣ２０３は、調整結果の保存としてＪＰＥＧ画像を生成する。
【００５１】
Ｓ５０４でＰＣ２０３は、Ｓ５０１で行われた画像パラメーターの調整結果と、Ｓ５０２で指定された符合化方式の情報から図６の現像パラメーターを生成する。Ｓ５０５でＰＣ２０３は、Ｓ５０４で生成した現像パラメーターを送信する。送信はＨＴＴＰプロトコルに従い、クライアントがデータを送信するＰＯＳＴメッセージにより実行される。ＰＯＳＴ先のアドレスは図３のシーケンスで取得したデータＰＯＳＴアドレスを使用する。Ｓ５０６でサーバー装置１００は現像パラメーターを受信する。Ｓ５０７でサーバー装置１００は、現像パラメーターの受信が完了したことを示す応答メッセージを送信する。
【００５２】
該メッセージはＨＴＴＰプロトコルに従い、Ｓ５０６で受信したＰＯＳＴメッセージに対するＯＫメッセージとして送信される。Ｓ５０８でＰＣ２０３は、応答メッセージを受信してサーバー装置１００が現像パラメーターを受信したことを確認する。Ｓ５０９でサーバー装置１００は、ユーザーアカウントの登録済み機器情報７０３を参照し、機器連携ネットワークに参加している機器を割り出す。コントローラー１０１が登録ユーザー・機器情報管理部１０３から情報を読み出す。本実施例では、ＰＣ２０１とタブレット２０４がＲＡＷ画像共有設定を「有効」として登録されている。ここまでで、サーバー装置１００とＰＣ２０１と間で現像パラメーターのやり取りが完了する。
【００５３】
Ｓ５１０からＳ５１４はとサーバー装置１００とデジタルカメラ２０２間の処理シーケンスである。Ｓ５１０でデジタルカメラ２０２はサーバー装置１００に対して新規共有データの取得要求を送信する。送信はＨＴＴＰプロトコルに従い、クライアントがデータを取得するＧＥＴメッセージにより実行される。ＧＥＴする先は、デジタルカメラ２０２が機器連携ネットワークに参加する際に取得した新規コンテンツＧＥＴアドレスを使用する。このＧＥＴ要求を周期的に行うことでサーバー上にある新規データの確認をおこなう。
【００５４】
Ｓ５１１でサーバー装置１００は、新規共有データの取得要求を受信する。Ｓ５１２でサーバー装置１００は、Ｓ５０６で新規の現像パラメーターを受信しているため、新規共有データは存在する。且つ登録済み機器情報７０３でデジタルカメラ２０３は「ＲＡＷ画像共有設定」が「有効」であることから、デジタルカメラ２０３に対して現像パラメーターを送信する。送信はＨＴＴＰプロトコルに従い、Ｓ５１１で受信した新規共有データの取得要求に対するＯＫメッセージに付与する。Ｓ５１３でデジタルカメラ２０２はレスポンスメッセージとともに現像パラメーターを受信する。
【００５５】
Ｓ５１４でデジタルカメラ２０２は受信した現像パラメーターを記録する。ここまでで、サーバー装置１００とデジタルカメラ２０２間で現像パラメーターのやり取りが完了する。これによりデジタルカメラ２０２で現像パラメーターを用いて現像処理を行えば、ＰＣ２０１でユーザーによる現像結果を再現できる。
【００５６】
Ｓ５１５からＳ５１９は、サーバー装置１００とタブレット２０４間の処理シーケンスである。７０３でタブレット２０４も「ＲＡＷ画像共有設定」が「有効」であることからサーバー装置１００は現像パラメーターを送信する。シーケンスはＳ５１０からＳ５１４と同じである。
【００５７】
Ｓ５２０からＳ５２５はサーバー装置１００とスマートフォン２０３間の処理シーケンスである。Ｓ５２０とＳ５２１は、Ｓ５１０とＳ５１１の処理と同じである。しかし登録済み機器情報７０３でスマートフォン２０３は「ＲＡＷ画像共有設定」が「無効」であることから、スマートフォン２０２はＲＡＷ画像を共有していない。つまり現像パラメーターを送信しても意味のない機器である。このためＳ５２２でサーバー装置１００は、Ｓ５０６で受信した現像パラメーターをもとにＪＰＥＧ画像の生成を行う。
【００５８】
コントローラー１０１が画像処理部１０６と符合化部１０７を制御することで画像処理とＪＰＥＧへの符合化を行う。Ｓ５２３でサーバー装置１００は、Ｓ５２１で生成したＪＰＥＧ画像を送信する。送信はＨＴＴＰプロトコルに従い、Ｓ３１１で受信した新規共有データの取得要求に対するＯＫメッセージに付与する。Ｓ５２４でスマートフォン２０２はレスポンスメッセージとともにＪＰＥＧ画像を受信する。Ｓ５２５でスマートフォン２０２は受信したＪＰＥＧ画像を記録する。
【００５９】
ここまでで、サーバー装置１００とスマートフォンの間でＪＰＥＧ画像のやり取りが完了する。「ＲＡＷ画像共有設定」が「無効」のスマートフォン２０３には符号化したＪＰＥＧが送信されることで、ＰＣ２０１で現像した仕上がりと同じＪＰＥＧ画像を共有できる。
【００６０】
ここまでの説明で、各機器をサーバー装置１００のユーザーアカウント上の機器連携ネットワークに参加させ、実際にＲＡＷ画像や現像パラメーターを共有するシーケンスを説明した。機器連携ネットワークに参加する際にＲＡＷ画像を共有するか否かを設定する。その上でＲＡＷ画像を共有する際は、ＲＡＷ画像と併せて現像パラメーターも共有する。登録済み機器情報７０３で「ＲＡＷ画像共有設定」が「有効」の機器にはＲＡＷ画像と現像パラメーターを共有する。「ＲＡＷ画像共有設定」が「無効」の機器にはＲＡＷ画像と現像パラメーターから生成したＪＰＥＧ画像を共有する。これにより、全ての機器で同じ仕上がりの画像が共有される環境を実現した。
【００６１】
ユーザーは機器連携ネットワークに参加する全ての機器でＲＡＷ画像・ＪＰＥＧ画像という違いはあるが、同じ仕上がりの画像を機器に依存せずに観覧することが可能である。また、ＲＡＷ画像を共有した機器で新規に現像処理が行われた場合、生成される現像パラメーターを機器連携ネットワーク内で共有する。このときも登録済み機器情報７０３における「ＲＡＷ画像共有設定」の「有効／無効」設定に従い、送信するデータを現像パラメーターとＪＰＥＧ画像で切り換える。これにより機器連携ネットワークに参加するすべての機器で同じ仕上がりの画像を共有できる。
【００６２】
機器連携ネットワークを構成する場合、機器の能力面からＲＡＷ画像を共有する機器・しない機器が存在する。しかしながら、そうした能力面での違いを吸収しながらも全ての機器で同じ内容の画像を鑑賞することを可能とする。
【００６３】
［実施例２］
第２の実施例では、機器連携ネットワークに参加する各機器がサーバー装置１００上にあるＲＡＷ画像に対してネットワーク経由でのサーバー現像を実行するシーケンスを説明する。
【００６４】
図１〜図４、図６、図７は第１の実施例と同じであるため説明は省略する。図３の機器連携ネットワークへの新規登録と、図４のＲＡＷ画像の共有は既に行われていることを想定する。
【００６５】
また本実施例のサーバー装置１００はネットワーク越しの現像処理を提供できる。機器連携ネットワークに参加する機器との間で、決められたコマンドのやり取りを通してサーバー上で現像処理を実現する。図９で遠隔での現像処理のシーケンスを説明する。
【００６６】
図９ではタブレット２０４からサーバー装置１００へのアクセスによる現像処理とその後のデータ共有に関するシーケンス図である。
【００６７】
本シーケンス図においてユーザーはタブレット２０４を操作している。本シーケンスではサーバー装置１００と各機器間のやり取りを説明するが、すべての機器はＳ３０１からＳ３０５の認証シーケンスを行うものとし、本シーケンスでは記載を省略する。
【００６８】
Ｓ９０１でタブレット２０４は、サーバー現像ページの取得要求を送信する。送信はＨＴＴＰプロトコルに従い、クライアントがデータを取得するＧＥＴメッセージにより実行される。本実施例のサーバー現像機能はＷｅｂサービスとして提供される。ユーザーは機器にある汎用的なＷｅｂブラウザから所定のサーバー現像アドレスにアクセスし、専用のＷｅｂページを取得する。サーバー現像アドレスを機器に通知する方法として本実施例では、図４のＳ４１１・Ｓ４２２のデータ送信の際に、ＲＡＷ画像に対するサーバー現像のためのアドレスも併せて送信する。
【００６９】
Ｓ９０２でサーバー装置１００は、サーバー現像ページの取得要求を受信する。Ｓ９０３でサーバー装置１００は、サーバー現像ページの準備をする。本実施例では、図１０のようなサーバー現像ページを想定する。基本的には、図８の現像アプリケーション８００の内容をＷｅｂページ上で表現したものである。１００１の画像パラメーターの調整結果のプレビュー領域で、１００２がパラメーター調整領域である。Ｓ９０４でサーバー現像ページを送信する。送信はＨＴＴＰプロトコルに従い、Ｓ９０２で受信した取得要求に対するＯＫメッセージに付与する。
【００７０】
このとき次にタブレット２０４がパラメーター調整のコマンドをＰＯＳＴする先としてサーバー現像ＰＯＳＴアドレスも併せて送信する。コントローラー１０１の指示に従い通信部１０４からネットワークに向けて送信される。Ｓ９０５でタブレット２０４は、サーバー現像ページとサーバー現像ＰＯＳＴアドレスを受信する。Ｓ９０６でタブレット２０４は取得したサーバー現像ページを液晶画面に表示する。
【００７１】
Ｓ９０７でタブレット２０４はユーザーによるＷｅｂページへの操作を取得する。Ｓ９０８〜Ｓ９１３とＳ９１４〜Ｓ９１９はＳ９０７で受け付けたユーザー操作に応じた分岐である。
【００７２】
Ｓ９０８はユーザーが画像パラメーターの調整を実行したシーケンスである。Ｓ９０８でタブレット２０４はパラメーター調整コマンドを送信する。送信はＨＴＴＰプロトコルに従い、クライアントがデータを送信するＰＯＳＴメッセージにより実行される。ＰＯＳＴ先はＳ９０５で受信したサーバー現像ＰＯＳＴアドレスを使用する。Ｓ９０９でサーバー装置１００は、パラメーター調整コマンドを受信する。通信部１０４で受信するデータをコントローラー１０１で解析する。Ｓ９１０でサーバー装置１００は、Ｓ９０９で受信したパラメーター調整コマンドをもとに対象のＲＡＷ画像に対する画像パラメーターを調整し、画像データを生成する。
【００７３】
コントローラー１０１が画像処理部１０６でＲＡＷ画像に対するパラメーター調整を実行する。Ｓ９１１でサーバー装置１００は、Ｓ９１０で生成した画像データを送信する。送信はＨＴＴＰプロトコルに従い、Ｓ９０９で受信したパラメーター調整コマンドに対するＯＫメッセージに付与する。Ｓ９１２でタブレット２０４は画像データを受信する。Ｓ９１３でタブレット２０４はＳ９１２で受信した画像でプレビュー領域を更新する。ここまでで、ユーザーがサーバー現像ページ上で実施したパラメーター調整の結果がタブレット２０４の画面上で反映される。ユーザーがサーバー現像ページ上でパラメーター調整を行う毎に本シーケンスを繰り返す。
【００７４】
Ｓ９１４はユーザーが保存を実行したシーケンスである。Ｓ９１４でタブレット２０４は保存コマンドを送信する。送信はＨＴＴＰプロトコルに従い、クライアントがデータを送信するＰＯＳＴメッセージにより実行される。ＰＯＳＴ先はＳ９０５で受信したサーバー現像ＰＯＳＴアドレスを使用する。Ｓ９１５でサーバー装置１００は、保存コマンドを受信する。Ｓ９１６でサーバー装置１００は、調整結果を図６の現像パラメーターの形式で保存する。Ｓ９１７でサーバー装置１００は、登録済み機器情報７０３を参照し、データ共有の対象となる機器連携ネットワークに参加している機器を割り出す。
【００７５】
Ｓ９１８でサーバー装置１００は、Ｓ９１７で読み出した登録済み機器情報７０３において、タブレット２０４は「ＲＡＷ画像共有設定」が「有効」であることから現像パラメーターを送信する。Ｓ９１９でタブレット２０４は現像パラメーターを受信する。Ｓ９２０でタブレット２０４は現像パラメーターを保存する。
【００７６】
ここまでの処理でサーバー装置１００とタブレット２０４の間でのサーバー現像処理が完了する。ユーザーにサーバー装置１００の機能として現像処理を提供できる。
【００７７】
この後、生成した現像パラメーターを機器連携ネットワーク内で共有する。ここは図５のＳ５１０以降のシーケンスと同じである。機器連携ネットワークに参加する各機器は定期的に新規共有データを問い合わせ、サーバー装置１００は「ＲＡＷ画像共有設定」が「有効」または「無効」で送信するデータを切り分ける。
【００７８】
以上の処理によりサーバー装置１００側での生成される現像パラメーターであっても、機器連携ネットワーク内で共有する。またＲＡＷ画像を共有しない機器に対しては、ＲＡＷ画像と現像パラメーターから生成されるＪＰＥＧ画像を共有することですべての機器で同じ仕上がりの画像が共有される環境を実現した。
【００７９】
本実施例で機器がサーバー現像を利用するに使用するサーバー現像アドレスを機器に渡す方法として他の方法も考えられる。例えば実施例１の図４に示すＲＡＷ画像の共有シーケンスのＳ４２２において、ＪＰＥＧ画像と一緒に送信することもできる。これによりＲＡＷ画像を共有しない機器に対してもサーバー装置１００が提供する機能として現像処理を利用できる。
【００８０】
［実施例３］
第３の実施例は、機器連携ネットワークに参加する機器全てでＲＡＷ画像を共有し、ＲＡＷ画像の削除などを機器側で任意に実行する場合である。この場合、機器におけるＲＡＷ画像の共有状態をサーバー装置１００で常に把握する必要がある。
【００８１】
図１〜図８は第１の実施例と基本的に同じである。ただし全ての機器でＲＡＷ画像を共有するため、機器を新規登録する際に「ＲＡＷ画像共有設定」の「有効／無効」を選択することは想定しない。共有されたＲＡＷ画像は機器において消去されたり、機器からダウンロードされたりする可能性があり、機器においてＲＡＷ画像の共有状態が動的に変化する。本実施例では動的なＲＡＷ画像の共有状態の変化に対応するシーケンスを説明する。
【００８２】
図１１は機器上でＲＡＷ画像が削除されたり、機器がサーバー装置１００からＲＡＷ画像をダウンロードした際のシーケンス図である。本シーケンスではサーバー装置１００と各機器間のやり取りを説明するが、すべての機器はＳ３０１からＳ３０５の認証シーケンスを行うものとし、本シーケンスでは記載を省略する。
【００８３】
Ｓ１１０１でスマートフォン２０３は、ユーザーによるＲＡＷ画像の削除が行われる。Ｓ１１０２でスマートフォン２０３はＲＡＷ画像削除メッセージを送信する。ＰＯＳＴ先のアドレスは、機器連携ネットワーク登録時にサーバー装置１００が配布することで対応可能である。またＲＡＷ画像を共有する際、削除対象のＲＡＷ画像を一意に特定できるような識別子を併せて送信することで、削除したＲＡＷ画像を正確にサーバー装置１００に通知できる。Ｓ１１０３でサーバー装置１００は、ＲＡＷ画像削除メッセージを受信する。
【００８４】
Ｓ１１０４でサーバー装置１００は、ＲＡＷ画像管理テーブルを更新する。ＲＡＷ画像管理テーブルは図１２のようなテーブルを想定する。ＲＡＷ画像の単位で各機器における共有状態を管理する。例えばスマートフォン２０３において「ＲＡＷ画像１」が削除されたというメッセージであった場合、該情報を「ＯＦＦ」に変更する。Ｓ１１０５でサーバー装置１００はＳ１１０３で受信したＲＡＷ画像削除メッセージに対するレスポンスを送信する。Ｓ１１０６でスマートフォン２０３はレスポンスを受信することで、Ｓ１１０２で送信したＲＡＷ画像削除メッセージが正しく反映されたと認識する。ここまでがＲＡＷ画像削除に関するシーケンスである。
【００８５】
Ｓ１１０７でスマートフォン１１０７はＲＡＷ画像リスト取得要求を送信する。送信はＨＴＴＰプロトコルに従い、クライアントがデータを取得するＧＥＴメッセージにより実行される。ＧＥＴ先のアドレスは、機器連携ネットワーク登録時にサーバー装置１００が配布することで対応可能である。Ｓ１１０８でサーバー装置１００はＲＡＷ画像リスト取得要求を受信する。Ｓ１１０９でサーバー装置１００はＲＡＷ画像リストを送信する。Ｓ１１１０でスマートフォン２０３はＲＡＷ画像リストを受信する。Ｓ１１１１でスマートフォン２０３はＲＡＷ画像リストを表示する。
【００８６】
Ｓ１１１２でスマートフォン２０３はＲＡＷ画像ダウンロード要求を送信する。ユーザーが希望するＲＡＷ画像のダウンロード支持に従い送信する。送信はＨＴＴＰプロトコルに従い、クライアントがデータを取得するＧＥＴメッセージにより実行される。ＧＥＴ先のアドレスは、ＲＡＷ画像リストに記載される。Ｓ１１１３でサーバー装置１００は、ＲＡＷ画像ダウンロード要求を受信する。Ｓ１１１４でサーバー装置１００は、ＲＡＷ画像管理テーブルを更新する。「ＲＡＷ画像２」へのダウンロード要求であった場合、該情報を「ＯＮ」に変更する。
【００８７】
処理はＳ１１０４と同じである。Ｓ１１１５でサーバー装置１００は、該ＲＡＷ画像を送信する。送信はＨＴＴＰプロトコルに従い、Ｓ１１１３で受信した取得要求に対するＯＫメッセージに付与する。Ｓ１１１６でスマートフォン２０３はＲＡＷ画像を受信する。Ｓ１１１７でスマートフォン２０３はＲＡＷ画像を保存する。ここまでがＲＡＷ画像ダウンロードに関するシーケンスである。
【００８８】
以上より機器においてＲＡＷ画像が削除されたり、機器がサーバー装置１００からＲＡＷ画像をダウンロードする処理に応じて、サーバー装置１００で管理するＲＡＷ画像管理テーブルが更新される。これにより、サーバー装置１００はＲＡＷ画像単位でどの機器で共有されているかを把握する。この情報は、図５や図９のシーケンスで新規の現像パラメーターを受信・生成した際に共有するデータの切り分けに使用され、ＲＡＷ画像を保持している機器には現像パラメーターが共有され、ＲＡＷ画像を保持している機器にはＪＰＥＧ画像が共有されることになる。
【００８９】
本実施例に従うことで、サーバー装置１００は機器連携ネットワークを運用しながら機器における各ＲＡＷ画像の共有状態を追跡する。新規に現像パラメーターを受信・生成した場合には、共有上布にしたい現像パラメーターを共有するかＪＰＥＧ画像を生成・共有するかを切り替える。機器の都合に応じたＲＡＷ画像の共有常態の違いを吸収しながらも全ての機器で同じ内容の画像を鑑賞することを可能とする。
【００９０】
本実施例の機器がＲＡＷ画像を削除した際のシーケンスにおいて、Ｓ１１０５で送信するレスポンスに、実施例２のサーバー現像用のＵＲＬを付与することも考えられる。こうすることで機器上からＲＡＷ画像がなくなったとしても、サーバー装置１００が提供する現像機能を活用することで、ユーザーに現像機能を提供できる。
【００９１】
［その他の実施例］
実施例１から実施例３ではＲＡＷ画像と現像パラメーターの組み合わせで説明してきたがこれに限定されるものでない。オリジナル画像とそれに関連するパラメーターという組み合わせに対して適用できる。例えばオリジナル画像と画像の切り出し位置を示すトリミング情報の組み合わせも可能である。オリジナル画像とその画像を印刷したときに印刷設定という組み合わせも可能である。
【符号の説明】
【００９２】
１００：サーバー装置
１０１：コントローラー
１０２：ＲＡＷ画像・現像パラメーター記録部
１０３：登録ユーザー・機器情報管理部
１０４：通信部
１０５：メモリー
１０６：画像処理部
１０７：符合化部
２０１：ＰＣ
２０２：デジタルカメラ
２０３：スマートフォン
２０４：タブレット
２０５：広域通信網
７０１：アカウント情報
７０２：登録機器情報
７０３：登録済みの機器情報
８０１：プレビュー画面
８０２：パラメーター調整画面
【図１】
2019070881.tif 000003
【図２】
2019070881.tif 000004
【図３】
2019070881.tif 000005
【図４】
2019070881.tif 000006
【図５】
2019070881.tif 000007
【図６】
2019070881.tif 000008
【図７】
2019070881.tif 000009
【図８】
2019070881.tif 000010
【図９】
2019070881.tif 000011
【図１０】
2019070881.tif 000012
【図１１】
2019070881.tif 000013
【図１２】
2019070881.tif 000014